(57)【要約】      （修正有）【課題】ユーザーの投稿写真やテキスト情報と、写真撮影時点の位置情報に関連する素材データ（土地の歴史、施設等の由来、周辺観光情報、当日の天候情報等）をテンプレートに基づき自動的に配置しその場で印刷する事で、ユーザー独自の高付加価値なコンテンツを提供するシステムを提供する。【解決手段】ユーザーが要求端末９からインターネット経由でアプリケーションサーバー１にアクセスすると、ユーザーがアクセスした時の位置判定情報３に基づき、位置固有素材２と、ユーザー自身がストレージサーバーに投稿した登録素材４とを使い、アプリケーションサーバー上で印刷データ６を生成して印刷端末７に送信する。【選択図】図１
2018018477.tif 000002
【特許請求の範囲】
【請求項１】
位置固有の印刷データを生成し提供するインターネットに接続されたシステムであって、インターネットに接続された要求端末から位置確認情報を受信し位置判定情報と照合する手段と、前記端末からストレージサーバーに登録された登録素材を取得する手段と、前記照合された位置固有の位置固有素材を取得する手段と、該登録素材と該位置固有素材とを自動レイアウトし印刷データを生成する手段と、印刷端末に該印刷データを送信する手段とを備える事を特徴とするシステム
【請求項２】
生成された印刷データを要求端末に送信する手段と、要求端末から印刷データの変更指示を受け付ける手段と、該変更指示に基づいて印刷データを再生成する手段を備える事を特徴とする請求項１記載のシステム
【請求項３】
位置固有の印刷データを生成し提供するインターネットに接続されたシステムであって、インターネットに接続された要求端末から位置確認情報を受信し位置判定情報と照合する手段と、前記端末からストレージサーバーに登録された登録素材を取得する手段と、前記照合された位置固有の位置固有素材を取得する手段と、該登録素材と該位置固有素材を自動レイアウトし印刷データを生成する手段と、前記照合された位置に配置された印刷端末に該印刷データを送信する手段とを備える事を特徴とする請求項２記載のシステム
【請求項４】
要求端末からから自動配置パターンの指示を受信する手段と、該自動配置パターンに基づいて配置方法を判定する手段を備える事を特徴とする請求項３記載のシステム
【請求項５】
位置確認情報が要求端末で検出したＧＰＳ情報であることを特徴とする請求項３記載のシステム
【請求項６】
ストレージサーバーがソーシャルネットワーキングサービスやソーシャルゲームであり、登録素材が投稿画像であり、要求端末からソーシャルネットワーキングサービスやソーシャルゲームへの認証情報を受信する手段と、該認証情報により該ソーシャルネットワーキングサービス、ないしソーシャルゲームへ認証要求する手段を備える事を特徴とする請求項４または請求項５記載のシステム
【請求項７】
照合された位置固有の位置固有素材が、該素材の著作権を保有する者からインターネットを介して登録申し込みを受けたものであり、登録済み位置固有素材の一覧を利用者に知らせる手段と、該素材をその位置に来訪した利用者にのみ使用させる手段を備えることを特徴とする請求項５または請求項６記載のシステム
【発明の詳細な説明】
【技術分野】
【０００１】  本発明は、ある位置に在る要求端末からインターネットを介して要求された印刷データを、その位置固有の素材と組み合わせて、自動的に生成する手段を備え、要求端末を利用している位置に配置された印刷端末に対して、ないしはその位置には配置されていなかったとしてもある特定の印刷端末に対して、印刷データを送信するシステムに関する。
【背景技術】
【０００２】  近年、スマートフォンやタブレット等で、撮影した写真や動画データ、テキストデータをソーシャルネットワーキングサービス（以下ＳＮＳ）やソーシャルゲームに投稿し、家族や友人、知人とオンライン上で交流を図るという事が日常的に行われている。これによって、旅行先で体験した事や観光名所、旅先風景などの写真、連れ立つ仲間や家族とのスナップ写真、あるいはお祭りやイベントでのその瞬間の高揚した感情や楽しい思い出の写真を、その場からテキスト情報とともにリアルタイムに共有する事が可能となった。【０００３】  たとえば、旅先で見た山の風景をスマートフォンで撮影し、コメントと共にＳＮＳ提供のアプリケーションで投稿すると、ＳＮＳ上で友達登録されているユーザーは同じくＳＮＳ提供のアプリケーションで即座に友人の投稿を閲覧し、写真に対して「いいね！」という好意的な反応を返したり、コメントを追記したり、さらに他のユーザーに共有する事が可能となる。【０００４】  これら日常的に登録される画像データは、ＳＮＳ運営該社が公開するＡＰＩにより、他サービス会社が独自の付加価値のあるサービスを提供する事が可能となっている。【０００５】  一方、下記特許文献１には、ＳＮＳに対する設定をユーザーにさせることなく、ＳＮＳに投稿された画像データの処理を実行するプログラムとして、印刷サービスサーバ２０は、ＳＮＳシステム１０から受信した投稿データを投稿データ解析部２３等による解析結果に基づき投稿データに添付された画像データの登録の是非を判断する登録判断部２２と、登録すると判断された場合に処理識別番号を発行し、その処理識別番号と画像データとを対応付けして画像データ記憶部３１に登録する登録部２７と、メッセージを投稿したユーザー２及びそのメッセージにコメント等を付けたＳＮＳユーザー２に処理識別番号をＳＮＳシステム１０に通知させる通知メッセージ送信部２８と、を有する。ＳＮＳユーザーは、通知された処理識別番号に基づき投稿した画像データをマルチコピー機４を用いて印刷するプログラムが記載されている。【０００６】  また、下記特許文献２には、ＳＮＳに公開されている投稿の印刷をより簡単に実現できるようにするシステムとして、プリンタと特定のＳＮＳに登録されているユーザーの登録情報とを紐付けた紐付け情報を保持し、ＳＮＳにおいて公開されている複数の投稿を個別に評価するための各ソーシャルボタンのいずれかへの所定の操作がなされた場合に、当該操作の通知をＳＮＳから受け、通知された操作をしたユーザーの登録情報と紐付けられているプリンタを紐付け情報を参照して特定し、通知された操作がなされた投稿の投稿データをＳＮＳから取得し、取得された投稿データから画像を印刷するための印刷データを生成し、生成された印刷データを前記特定されたプリンタへ送信して当該プリンタに印刷データに基づく画像の印刷を実行させるシステムが記載されている。
【先行技術文献】
【特許文献】
【０００７】
【特許文献１】特開２０１６−０６２４８２号公報
【０００８】
【特許文献２】特開２０１５−０８７９５８号
【発明の概要】
【発明が解決しようとする課題】
【０００９】  しかしながら、上記特許文献１及び上記特許文献２の技術は、ＳＮＳ上に投稿された画像を印刷する上で設定作業を不要としたり、印刷専用アプリケーションやプラグインのインストールを不要にしたり、処理対象の画像を自動選定したりといったようにユーザーの手間を省き効率化を実現しているものの、印刷データ自体はＳＮＳ上に投稿された画像をそのまま印刷出力しており、コンテンツとしての価値は撮影時点から印刷時点まで何ら変化していない。【００１０】  ＳＮＳやソーシャルゲームに対して写真やテキストを投稿する目的の一つとして自分の体験を記録する同時に、友達登録されているユーザーに共有し共感や反応を期待するという動機が考えられる。【００１１】  また、普段生活する場、仕事をする場から離れて、旅行やイベントに参加するなどした場合に、人はその場所を訪問した証として何か記念になるものを持ち帰りたいという動機も考えられる。【００１２】  一方で、デジタルで完結するＳＮＳやソーシャルゲーム上の投稿だけでは物足りず、ありきたりのお菓子やキーホルダーのような昔からあるようなご当地のお土産だけでは、独自性や個性が発揮でないというジレンマを感じている。【００１３】  そこで、本願発明の目的は、利用者がスマートフォンやタブレットから、ＳＮＳやソーシャルゲームに投稿した写真とテキスト並びに、利用者自身のアカウント登録情報、投稿日時や場所を示す投稿メタ情報などを、写真撮影時点の位置情報に関連する素材データ（その土地の歴史、施設等の由来、周辺観光情報、施設内展示物の情報、動植物の情報、食や衣服に関する情報、伝統工芸や芸能に関する情報、オリジナルキャラクター、当日の天候情報やニュース等）をテンプレートに基づき自動的にレイアウトしその場で印刷、ないしは特定の印刷機で印刷し後日配送する事で、その場所を訪問した利用者だけが利用できる独自の高付加価値なコンテンツを提供するシステムを提供することにある。
【課題を解決するための手段】
【００１４】  位置固有の印刷データを生成し提供するインターネットに接続されたシステムであって、インターネットに接続された要求端末から位置確認情報を受信し位置判定情報と照合する手段と、前記端末からストレージサーバーに登録された登録素材を取得する手段と、前記照合された位置固有の位置固有素材を取得する手段と、該登録素材と該位置固有素材とを自動配置し印刷データを生成する手段と、前記照合された位置に配置された印刷端末、ないしは前記照合された位置に配置されていなかったとしても在る特定の印刷端末に、該印刷データを送信する手段とを備える事を特徴とするシステムである。【００１５】  また、第２の解決手段は、前記解決手段に加えて、位置固有素材の著作権を保有する者が自由に登録申し込みできる手段と、登録完了した該素材の一覧を利用者に知らせる手段と、該素材をその位置に来訪した利用者にのみ使用させる手段を備えることを特徴とするシステムである。
【発明の効果】
【００１６】  本発明によりユーザー自身が生み出したコンテンツと、その位置固有の素材を組み合わせたユーザー独自の印刷用データが生成され、そのイメージ画像をＳＮＳ上に投稿したり、そのデータを該システムより印刷指示することにより、印刷物として購入することができることにより、旅行や施設観覧の記念や、イベント参加の記録や、オリジナルキャラクターグッズのコレクションとして、友達に披露したり、保有したりすることができるユーザーメリットがある。【００１７】  また観光業、施設運営者、イベント主催者、キャラクター権利保有者などの事業者は、著作権等の権利を保有する画像やテキストなどの素材を、位置固有の素材テンプレートとして登録することにより観光客や来訪者に新しいジャンルの記念品や土産品として販売できるため、保有するコンテンツの収益化を図ることができる。
【図面の簡単な説明】
【００１８】
【図１】本発明のオンデマンド印刷データ自動生成提供システムの第１の実施形態を示す図
【図２】本発明のオンデマンド印刷データ自動生成提供システムの第２の実施形態を示す図
【図３】本発明のオンデマンド印刷データ自動生成提供システムの第３の実施形態を示す図
【図４】本発明のオンデマンド印刷データ自動生成提供システムの第４の実施形態を示す図
【図５】本発明のオンデマンド印刷データ自動生成提供システムの第５の実施形態を示す図
【図６】本発明のオンデマンド印刷データ自動生成提供システムの第６の実施形態を示す図
【図７】本発明のオンデマンド印刷データ自動生成提供システムの第７の実施形態を示す図
【発明を実施するための形態】
【００１９】  発明の実施の第１の形態を実施例にもとづき図面を参照して説明する。
図１において、インターネット経由でアクセスできるアプリケーションサーバー１を配置し、あらかじめ地域の天気情報、ニュース、写真等の位置固有素材２の登録を行っておく。ユーザーが要求端末９からインターネット経由でアプリケーションサーバーにアクセスすると、ユーザーがアクセスした時の位置判定情報３に基づき、位置固有素材２と、ユーザー自身がスマートフォンからＦａｃｅｂｏｏｋ、Ｉｎｓｔａｇｒａｍや自社のストレージサーバーに投稿した登録素材４とを使い、アプリケーションサーバー上で印刷データ６を自動組版し、印刷に適したデータを生成する。ユーザーはその印刷データを印刷端末７に送信することにより、印刷物を購入することができる。
【００２０】  発明の実施の第２の形態を実施例にもとづき図面を参照して説明する。
図２は、アプリケーションサーバー１から、要求端末９に対して、印刷データを事前に確認できるように、要求端末の画面上で印刷データのイメージを送信する１０。ユーザーは画面で印刷データを確認した後に、写真やレイアウトの変更指示を行うことができる１１。
【００２１】  発明の実施の第３の形態を実施例にもとづき図面を参照して説明する。
図３は、印刷端末７が要求端末から照合された位置１２に配置された印刷端末に該印刷データを送信する。
【００２２】  発明の実施の第４の形態を実施例にもとづき図面を参照して説明する
図４は、アプリケーションサーバー上の自動配置パターンは新聞やポストカードなど複数種類の配置パターン１３があり、ユーザーは生成する自動配置パターンを指定することができる１４。
【００２３】  発明の実施の第５の形態を実施例にもとづき図面を参照して説明する
図５は、位置判定情報３としてＧＰＳ情報を利用することができる。
【００２４】  発明の実施の第６の形態を実施例にもとづき図面を参照して説明する
図６は、ユーザーの登録素材４は、ＦａｃｅｂｏｏｋやＩｎｓｔａｇｒａｍ等のＳＮＳ上に投稿された画像、動画の一部または全部、テキスト、該投稿に寄せられたユーザーの友達からのコメントや「いいね！」等の評価機能、投稿日時等のデータを利用する。
【００２５】  発明の実施の第７の形態を実施例にもとづき図面を参照して説明する
図７は、照合された位置固有の位置固有素材１５が、該素材の著作権を保有する者の送信端末１７からインターネットを介して登録申し込みを受けることができる１７。登録された位置固有素材の一覧を利用者に知らせることができ１８、該素材をその位置に来訪した利用者にのみ使用させることができる１８。
【００２６】  なお、本発明は上記実施の形態や実施例に限定されるものではなく、発明の範囲内において適宜変更可能である。自動配置パターンは新聞やポストカードに限定されるものではなく、例えば、や証明証やトレーディングカードやシールや顔ハメ写真等、ユーザー独自のコンテンツと他のコンテンツとの組み合わせであって印刷可能なものであれば良い。上記実施の形態では、位置固有コンテンツは観光情報やその場所の天気やニュースとされているが、例えばその場所で開催されるイベント情報でも良いし、その他有名キャラクターとの組み合わせによって固有性を持つ素材でも良く、その組み合わせ方法も限定されない。位置判定情報は、ＧＰＳ情報とされているが、秘密の言葉やパスコードなど、その場所でしか得られない情報によって判定することもできる。
【符号の説明】
【００２７】１  アプリケーションサーバー
２  位置固有素材
３  位置判定情報
４  登録素材
５  ストレージサーバー
６  印刷データ
７  印刷端末
８  位置確認情報
９  要求端末
１０  印刷データのイメージの送信
１１  変更の指示
１２  要求端末と印刷端末が同じ位置に在る状態
１３  自動配置パターン
１４  自動配置パターンの指定
１５  位置固有情報として登録される素材
１６  登録しようとする素材の権利を保有するものがデータを送信する端末
１７  位置固有情報としての登録申し込み
１８  利用者が位置固有情報から作成されたテンプレートを利用できる状態
【図１】
2018018477.tif 000003
【図２】
2018018477.tif 000004
【図３】
2018018477.tif 000005
【図４】
2018018477.tif 000006
【図５】
2018018477.tif 000007
【図６】
2018018477.tif 000008
【図７】
2018018477.tif 000009